(57)【要約】小型化を図りつつノイズを低減することが可能なノイズキャンセラ、情報処理装置及びノイズ除去方法を提供する。複数のアンテナ３０、３１、３２にて受信する受信信号に対して、ノイズを除去するための除去信号を生成部２５が生成する。複数のアンテナ３０、３１、３２と生成部２５との間、または、複数のアンテナ３０、３１、３２の内一のアンテナ３０を除く他のアンテナ３１、３２と生成部２５との間に設けられ、生成部２５にて生成された除去信号を遅延部２１により遅延させる。
2010150398.tif 000002
【特許請求の範囲】
【請求項１】
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号を遅延させる遅延部と
を備えるノイズキャンセラ。
【請求項２】
センサから出力される検出信号を受け付けた場合に、前記複数のアンテナと前記生成部との間に設けられた複数の遅延部の遅延量を変更する変更部
を備える請求項１に記載のノイズキャンセラ。
【請求項３】
遅延量を異にする複数の遅延部を設けてあり、ノイズ源とアンテナとの距離が大きくなるにつれ、遅延量が大きい請求項１または２に記載のノイズキャンセラ。
【請求項４】
前記複数のアンテナと前記生成部との間、または、前記複数のアンテナの内一のアンテナを除く他のアンテナと前記生成部との間に設けられ、前記生成部にて生成された除去信号の振幅を調整する調整部
を備える請求項１に記載のノイズキャンセラ。
【請求項５】
センサから出力される検出信号を受け付けた場合に、前記複数のアンテナと前記生成部との間に設けられた複数の調整部の調整量を変更する補助変更部
を備える請求項４に記載のノイズキャンセラ。
【請求項６】
複数のアンテナを有する情報処理装置であって、
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号を遅延させる遅延部と
を備える情報処理装置。
【請求項７】
複数のアンテナを有する情報処理装置におけるノイズ除去方法であって、
複数のアンテナにて受信する受信信号に対して、ノイズを除去するための除去信号を生成部により生成し、
前記複数のアンテナと前記生成部との間、または、前記複数のアンテナの内一のアンテナを除く他のアンテナと前記生成部との間に設けられた遅延部により、生成された除去信号を遅延させる
ノイズ除去方法。
【発明の詳細な説明】
【技術分野】
【０００１】
本発明は、ノイズを除去するノイズキャンセラ、情報処理装置及びノイズ除去方法に関する。
【背景技術】
【０００２】
ノイズ源にて発生するノイズをキャンセルするノイズキャンセラが知られている（例えば特許文献１及び特許文献２参照）。従来はノイズ源にて発生するノイズに対する逆相ノイズを生成し、この生成した逆相ノイズをアンテナにて受信する受信信号に加算することでノイズをキャンセルしていた。
【特許文献１】特開２００８−２４４９８７号公報
【特許文献２】特開２００１−１４４６９６号公報
【発明の開示】
【発明が解決しようとする課題】
【０００３】
しかしながら、従来のノイズキャンセラは各アンテナに対し逆相ノイズを生成する回路を設けており、アンテナ数の増大に伴い、当該回路数も増加するという問題があった。【０００４】
本発明は斯かる事情に鑑みてなされたものである。その目的は、アンテナに対しアンテナの配置に応じた遅延処理を行うことにより、小型化を図りつつノイズを低減することが可能なノイズキャンセラ等を提供することにある。
【課題を解決するための手段】
【０００５】
本願に開示の装置は、複数のアンテナにて受信する受信信号に対して、ノイズを除去するための除去信号を生成する生成部と、前記複数のアンテナと前記生成部との間、または、前記複数のアンテナの内一のアンテナを除く他のアンテナと前記生成部との間に設けられ、前記生成部にて生成された除去信号を遅延させる遅延部とを備える。
【発明の効果】
【０００６】
当該ノイズキャンセラの一観点によれば、アンテナ数が増大した場合でも、逆相ノイズを生成する回路数を低減でき小型化を実現することが可能となる。
【図面の簡単な説明】
【０００７】
【図１】情報処理装置１のハードウェア群を示すブロック図である。
【図２】通信部を含むハードウェアを示すブロック図である。
【図３】通信部を含むハードウェアを示すブロック図である。
【図４】通信部を含むハードウェアを示すブロック図である。
【図５】通信部を含むハードウェアを示すブロック図である。
【図６】通信部を含むハードウェアを示すブロック図である。
【図７】通信部を含むハードウェアを示すブロック図である。
【図８】携帯電話機の外観を示す模式的斜視図である。
【図９】携帯電話機の折りたたみ状態を示す模式的斜視図である。
【図１０】通信部を含むハードウェアを示すブロック図である。
【図１１】変更テーブルのレコードレイアウトを示す説明図である。
【図１２】通信部を含むハードウェアを示すブロック図である。
【図１３】補助変更テーブルのレコードレイアウトを示す説明図である。
【図１４】通信部を含むハードウェアを示すブロック図である。
【図１５】変更処理の手順を示すフローチャートである。
【図１６】通信部を示す主要回路図である。
【図１７】変更テーブルのレコードレイアウトを示す説明図である。
【図１８】閉状態における通信部を示す主要回路図である。
【図１９】実装例を示す模式的斜視図である。
【図２０】通信部を示す主要回路図である。
【図２１】切り替え後の通信部を示す主要回路図である。
【図２２】実装例を示す模式的斜視図である。
【符号の説明】
【０００８】
１      携帯電話機
２      ノイズキャンセラ
３      アンテナ
４      ＬＳＩ
１１    ＣＰＵ
１２    ＲＡＭ
１３    入力部
１４    表示部
１５    記憶部
１６    通信部
１８    マイク
１９    スピーカ
２１    遅延部、ディレイライン
２２    調整部、アッテネータ
２３    加算部
２４    位相振幅制御部
２５    生成部
２６    ノイズ取得アンテナ
２７    センサ
２８    変更部
２９    補助変更部
１１０  第２筐体
１１１  第１筐体
１１２  軸
１１３  穴
１１４  筒部
１１５  開口
１１６  回動傾斜機構
１６１  通信モジュール
２６１、２６２  Ｄ／Ａ
２８１  変更テーブル
２９１  補助変更テーブル
Ｇ１〜Ｇ７  仮想グラウンド
ＬＡ、ＬＢ  ライン
Ｒ１〜Ｒ１５  抵抗
Ｓ      スイッチ
【発明を実施するための最良の形態】
【０００９】
実施の形態１
以下実施の形態を、図面を参照して説明する。図１は情報処理装置１のハードウェア群を示すブロック図である。情報処理装置１はアンテナを有する装置であり、例えば、携帯電話機、パーソナルコンピュータ、ＰＤＡ(Personal Digital Assistance)、可搬型ゲーム装置、可搬型オーディオプレーヤ、カーナビゲーション装置またはデジタルカメラ等である。以下では情報処理装置１として携帯電話機１を用いた例を説明する。【００１０】
携帯電話機１は、制御部としてのＣＰＵ（Central Processing Unit）１１、ＲＡＭ(Random Access Memory)１２、入力部１３、表示部１４、通信部１６、マイク１８、スピーカ１９及び記憶部１５等を含む。ＣＰＵ１１は、バス１７を介して携帯電話機１のハードウェア各部と接続されていて、それらを制御すると共に、記憶部１５に格納された制御プログラム１５Ｐに従って、種々のソフトウェア機能を実行する。【００１１】
表示部１４は例えば液晶ディスプレイまたは有機ＥＬ（electroluminescence）ディスプレイ等である。表示部１４はＣＰＵ１１の指示に従い出力された表示情報を表示する。入力部１３はプッシュボタン等である。入力部１３から入力された情報はＣＰＵ１１へ出力される。なお、タッチパネルの如く入力部１３を表示部１４上に積層しても良い。スピーカ１９は音声データ、通話データ、またはマイク１８から入力された音声に係る音声信号を増幅して出力する。マイク１８は外部から入力された音声信号を電気信号へ変換する。変換後の電気信号は図示しないＡ／Ｄ変換器によりデジタルデータへ変換されてＣＰＵ１１へ出力される。【００１２】
通信部１６は音声データ、文字データ及び画像データ等の各種データの送受信を行う。図２は通信部１６を含むハードウェアを示すブロック図である。通信部１６は通信モジュール１６１及び複数のアンテナ３０、３１、３２・・・（以下場合により３で代表する）等を含む。通信モジュール１６１は例えばＷＬＡＮ（Wireless Local Area Network）用モジュール、Ｗ−ＣＤＭＡ（Wideband-Code Division Multiple Access）用モジュール、または、１セグメント等の地上デジタル放送用データの受信モジュール等である。【００１３】
その他通信モジュール１６１は、ＷｉＭＡＸ（Worldwide Interoperability for Microwave Access）用のモジュール、ＧＰＳ（Global Positioning System）データの受信モジュール及びBluetooth（登録商標）モジュール等であっても良い。以下では説明を容易にするために、通信モジュール１６１はＷ−ＣＤＭＡモジュールであるものとし、アンテナ３の数は３本であるものとして説明する。なお、アンテナ３の数はこれに限るものではなく、少なくとも２本以上搭載されていればよい。【００１４】
通信部１６にはノイズ源（ＬＳＩ：Large Scale Integration）４から発生するノイズを除去するためのノイズキャンセラ２が設けられている。ノイズ源４は例えば携帯電話機１内部のＬＳＩ、配線パターン（図示せず）及びコネクタ（図示せず）等である。以下では説明を容易にするためにノイズ源４をＬＳＩ４であるものとして説明する。ノイズキャンセラ２は生成部２５、遅延部２１１、２１２（以下、場合により２１で代表する）、ＤＡ（Digital Analog）変換器（以下、Ｄ／Ａという）２６１、２６２、加算部２３、ノイズ取得アンテナ２６及び、位相振幅制御部２４等を含む。【００１５】
通信モジュール１６１はアンテナ３に接続されており、最寄りの基地局が発信した情報を、アンテナ３を介して受信する。ノイズ取得アンテナ２６はＬＳＩ４から放射されるノイズ信号を取得し、取得したノイズ信号を生成部２５へ出力する。なお、ノイズ信号の検出はノイズ取得アンテナ２６に限るものではない。例えば、電源ライン（配線）またはグランドラインが、ノイズ信号の影響を受ける場合、ノイズ信号生成回路（図示せず）が、電源ラインまたはグランドラインの信号を取り込み、取り込んだ信号に基づきノイズ信号を生成しても良い。【００１６】
生成部２５は、後述する位相振幅制御部２４からＤ／Ａ２６１を介してＩの値が入力され、また、Ｄ／Ａ２６２を介してＱの値が入力される。Ｄ／Ａ２６１、２６２はそれぞれ位相振幅制御部２４から出力されたデジタル信号のＩ及びＱの値をアナログ信号に変換する。Ｄ／Ａ２６１は変換後のＩの値を生成部２５へ出力する。Ｄ／Ａ２６２は変換後のＱの値を生成部２５へ出力する。【００１７】
生成部２５はノイズ取得アンテナ２６から出力されたノイズ信号と、Ｄ／Ａ２６１及びＤ／Ａ２６２から出力されたＩ及びＱの値とに基づいて、アンテナ３が受信した受信信号に対してノイズを除去するための除去信号を生成する。具体的には、生成部２５は、ノイズ取得アンテナ２６から取得したノイズ信号の位相及び振幅を、Ｄ／Ａ２６１及びＤ／Ａ２６２を介して入力されたＩ及びＱの値を用いて調整する。【００１８】
生成部２５は、位相及び振幅を調整した信号を逆相にし、除去信号（逆相ノイズ信号）として加算部２３へ出力する。アンテナ３０、３１、３２にはそれぞれ加算部２３０、２３１、２３２（以下、場合により２３で代表する。）が設けられている。生成部２５はアンテナ３０の加算部２３０に直接接続されている。その他、生成部２５は遅延部２１１を介してアンテナ３１の加算部２３１に接続されている。さらに、生成部２５は遅延部２１２を介してアンテナ３２の加算部２３２に接続されている。【００１９】
加算部２３０はアンテナ３０が取得した受信信号及びノイズ信号に除去信号（逆相ノイズ信号）を加算する。加算によりノイズ信号が除去された受信信号が加算部２３０から通信モジュール１６１へ出力される。なお、本実施の形態においては逆相ノイズ信号を加算部２３０にて加算する例を挙げて説明したがこれに限るものではない。例えば逆相せずに信号を出力し、減算器（図示せず）により減算処理をするようにしても良い。【００２０】
遅延部２１は生成部２５から出力されるノイズ信号の位相を遅延させるための回路であり、遅延回路としては、例えば固定ディレイライン、可変ディレイラインまたはオペアンプを用いた位相シフト回路等を用いればよい。遅延部２１１の遅延量はアンテナ３の設置位置によって決定すればよい。ノイズ源であるＬＳＩ４とアンテナ３との距離とが離れるほど、遅延量を大きい値とすればよい。または生成部２５とアンテナ３との距離とが離れるほど、遅延量を大きい値としても良い。アンテナ３は、ＬＳＩ４または生成部２５に対して、アンテナ３０が最も接近している。ＬＳＩ４または生成部２５とアンテナ３１との距離は、ＬＳＩ４または生成部２５とアンテナ３０との距離よりも大きい。また、ＬＳＩ４または生成部２５とアンテナ３２との距離は、ＬＳＩ４または生成部２５とアンテナ３１との距離よりも大きい。なお、アンテナ３とＬＳＩ４または生成部２５との距離は、アンテナ３の先端、終端、または中心点を含む適宜の部位を基準とすればよい。本実施の形態においては、遅延部２１２の遅延量は遅延部２１１の遅延量よりも大きい値としている。【００２１】
生成部２５は除去信号を、遅延部２１を介することなく加算部２３０へ出力する。加算部２３０はアンテナ３０が取得した受信信号及びノイズ信号に除去信号を加算する。これにより、アンテナ３０におけるノイズが除去される。また、遅延部２１１はＬＳＩ４に対し、アンテナ３０よりも遠隔にあるアンテナ３１のノイズを除去すべく、生成部２５から出力された除去信号の位相を遅延する。遅延部２１１は遅延後の除去信号を加算部２３１へ出力する。加算部２３１はアンテナ３１が取得した受信信号及びノイズ信号に除去信号を加算する。加算によりノイズ信号が除去された受信信号が加算部２３１から通信モジュール１６１へ出力される。【００２２】
同様に、アンテナ３１よりも遠隔にあるアンテナ３２のノイズを除去すべく、遅延部２１２は生成部２５から出力された除去信号の位相をさらに遅延する。遅延部２１２は遅延後の除去信号を加算部２３２へ出力する。加算部２３２はアンテナ３２が取得した受信信号及びノイズ信号に除去信号を加算する。加算によりノイズ信号が除去された受信信号が加算部２３２から通信モジュール１６１へ出力される。これにより、アンテナ３の配置位置に応じた位相を持つ除去信号が生成され、各アンテナ３にてノイズが除去される。【００２３】
通信モジュール１６１は、アンテナ３を介して受信した受信信号に基づいて、受信信号の通信品質を示す通信品質情報（例えば、ＢＥＲ：Bit Error Rate）を検出する。通信モジュール１６１は通信品質情報を検出した場合、検出した通信品質情報を位相振幅制御部２４へ出力する。位相振幅制御部２４は、内部の図示しないメモリに記憶したＩ及びＱの値を読み出す。位相振幅制御部２４は、読み出したＩの値を基準とし、Ｉの値に所定値（例えば５）を加算または減算した値をＤ／Ａ２６１へ出力する。【００２４】
位相制御部２４は、読み出したＱの値を基準とし、Ｑの値に所定値（例えば６）を減算または加算した値をＤ／Ａ２６２へ出力する。これにより、各アンテナ３に対し個別に生成部２５及び位相振幅制御部２４等を設ける必要が無くなる。また複数のアンテナ３の位置関係に応じて適切な遅延量を有する遅延部２１を設けるだけで良いため、装置の小型化を図ることが可能となる。【００２５】
実施の形態２
実施の形態２は振幅を調整する形態に関する。図３は通信部１６を含むハードウェアを示すブロック図である。実施の形態１の遅延部２１に代えて調整部２２１、２２２（以下、場合により２２で代表する。）が設けられている。生成部２５と加算部２３１との間には除去信号の振幅を調整する調整部２２１が設けられている。調整部２２１は例えば、除去信号の振幅を減衰するアッテネータを用いればよい。調整部２２２も同様に、生成部２５と加算部２３２との間に設けられており、生成部２５から出力された除去信号の振幅を調整する。【００２６】
調整部２２の調整量（減衰量）はＬＳＩ４とアンテナ３との距離が大きくなるにつれ大きくするようにすればよい。本実施の形態においては調整部２２２の調整量は調整部２２１の調整量よりも大きい。生成部２５は除去信号を、調整部２２を介することなく加算部２３０へ出力する。加算部２３０はアンテナ３０が取得した受信信号及びノイズ信号に除去信号を加算する。これにより、アンテナ３０におけるノイズが除去される。また、調整部２２１はＬＳＩ４に対し、アンテナ３０よりも遠隔にあるアンテナ３１のノイズを除去すべく、生成部２５から出力された除去信号の振幅を調整（減衰）する。調整部２２１は振幅調整後の除去信号を加算部２３１へ出力する。加算部２３１はアンテナ３１が取得した受信信号及びノイズ信号に、振幅調整後の除去信号を加算する。加算によりノイズ信号が除去された受信信号が加算部２３１から通信モジュール１６１へ出力される。【００２７】
同様に、アンテナ３１よりも遠隔にあるアンテナ３２のノイズを除去すべく、調整部２２２は生成部２５から出力された除去信号の振幅をさらに調整（減衰）する。調整部２２２は振幅調整後の除去信号を加算部２３２へ出力する。加算部２３２はアンテナ３２が取得した受信信号及びノイズ信号に、さらに振幅が調整（減衰）された除去信号を加算する。加算によりノイズ信号が除去された受信信号が加算部２３２から通信モジュール１６１へ出力される。これにより、アンテナ３の配置位置に応じた振幅を持つ除去信号が生成され、各アンテナ３にてノイズが除去される。【００２８】
従って、各アンテナ３に対し個別に生成部２５及び位相振幅制御部２４等を設ける必要が無くなる。また複数のアンテナ３の位置関係に応じて適切な振幅調整量を有する調整部２２を設けるだけで良いため、装置の小型化を図ることが可能となる。【００２９】
本実施の形態２は以上の如きであり、その他は実施の形態１と同様であるので、対応する部分には同一の参照番号を付してその詳細な説明を省略する。【００３０】
実施の形態３
実施の形態３は遅延部２１及び調整部２２の双方を設ける形態に関する。図４は通信部１６を含むハードウェアを示すブロック図である。生成部２５と加算部２３１との間には遅延部２１１及び調整部２２１が設けられている。なお、以降の実施の形態においては遅延部２１の後段に調整部２２が設けられる例を挙げて説明するがこれに限るものではない。調整部２２の後段に遅延部２１を設けても良い。【００３１】
実施の形態１と同じく遅延部２１２の遅延量は遅延部２１１の遅延量よりも大きい。また実施の形態２と同じく、調整部２２２の振幅の調整量は調整部２２１よりも大きい。生成部２５は除去信号を、遅延部２１及び調整部２２を介することなく加算部２３０へ出力する。加算部２３０はアンテナ３０が取得した受信信号及びノイズ信号に除去信号を加算する。これにより、アンテナ３０におけるノイズが除去される。【００３２】
また、遅延部２１１及び調整部２２１はＬＳＩ４に対し、アンテナ３０よりも遠隔にあるアンテナ３１のノイズを除去すべく、生成部２５から出力された除去信号の位相を遅延し、また振幅を調整する。遅延部２１１は遅延後の除去信号を調整部２２１へ出力する。調整部２２１は入力された除去信号の振幅を調整し、調整後の除去信号を加算部２３１へ出力する。加算部２３１はアンテナ３１が取得した受信信号及びノイズ信号に除去信号を加算する。加算によりノイズ信号が除去された受信信号が加算部２３１から通信モジュール１６１へ出力される。【００３３】
同様に、アンテナ３１よりも遠隔にあるアンテナ３２のノイズを除去すべく、遅延部２１２は生成部２５から出力された除去信号の位相をさらに遅延し、調整部２２２は除去信号の振幅をさらに大きな調整量で調整する。遅延部２１２は位相遅延後の除去信号を調整部２２２へ出力する。調整部２２２は除去信号の振幅を調整する。調整後の除去信号は加算部２３２へ出力される。加算部２３２はアンテナ３２が取得した受信信号及びノイズ信号に除去信号を加算する。加算によりノイズ信号が除去された受信信号が加算部２３２から通信モジュール１６１へ出力される。これにより、アンテナ３の配置位置に応じた位相及び振幅を持つ除去信号が生成され、各アンテナ３にてノイズが除去される。【００３４】
本実施の形態３は以上の如きであり、その他は実施の形態１及び２と同様であるので、対応する部分には同一の参照番号を付してその詳細な説明を省略する。【００３５】
実施の形態４
実施の形態４は複数の全てのアンテナ３と生成部２５との間に遅延部２１を設ける形態に関する。図５は通信部１６を含むハードウェアを示すブロック図である。実施の形態２に対し、遅延部２１０が生成部２５とアンテナ３０の加算部２３０との間に設けられている。遅延量はＬＳＩ４と、アンテナ３０、３１、３２との間の距離が大きくなるにつれ大きな値としている。遅延部２１２の遅延量が最も大きく、次いで遅延部２１１が大きく、遅延部２１０の遅延量は最も小さい。【００３６】
生成部２５は除去信号を、遅延部２１０へ出力する。遅延部２１０は除去信号の位相を遅延する。遅延部２１０は遅延後の除去信号を加算部２３０へ出力する。加算部２３０はアンテナ３０が取得した受信信号及びノイズ信号に位相遅延後の除去信号を加算する。これにより、アンテナ３０におけるノイズが除去される。また、遅延部２１１はＬＳＩ４に対し、アンテナ３０よりも遠隔にあるアンテナ３１のノイズを除去すべく、生成部２５から出力された除去信号の位相を遅延する。遅延部２１１は遅延後の除去信号を加算部２３１へ出力する。加算部２３１はアンテナ３１が取得した受信信号及びノイズ信号に除去信号を加算する。加算によりノイズ信号が除去された受信信号が加算部２３１から通信モジュール１６１へ出力される。【００３７】
同様に、アンテナ３１よりも遠隔にあるアンテナ３２のノイズを除去すべく、遅延部２１２は生成部２５から出力された除去信号の位相をさらに遅延する。遅延部２１２は遅延後の除去信号を加算部２３２へ出力する。加算部２３２はアンテナ３２が取得した受信信号及びノイズ信号に除去信号を加算する。加算によりノイズ信号が除去された受信信号が加算部２３２から通信モジュール１６１へ出力される。これにより、アンテナ３の配置位置に応じた位相を持つ除去信号が生成され、各アンテナ３にてノイズが除去される。【００３８】
本実施の形態４は以上の如きであり、その他は実施の形態１乃至３と同様であるので、対応する部分には同一の参照番号を付してその詳細な説明を省略する。【００３９】
実施の形態５
実施の形態５は複数の全てのアンテナ３と生成部２５との間に調整部２２を設ける形態に関する。図６は通信部１６を含むハードウェアを示すブロック図である。実施の形態１に対し、調整部２２０が生成部２５とアンテナ３０の加算部２３０との間に設けられている。調整部２２は実施の形態２で述べた如く除去信号の振幅を減衰するアッテネータの他、除去信号の振幅を増大させる増幅器（アンプ）であっても良い。調整部２２としてアッテネータを用いる場合、調整量としての減衰量はＬＳＩ４と、アンテナ３０、３１、３２との間の距離が大きくなるにつれ大きな値とすれば良い。【００４０】
調整部２２として増幅器を用いる場合、アンテナ３２を基準とするため、調整量としての増幅量はＬＳＩ４と、アンテナ３０、３１、３２との間の距離が大きくなるにつれ小さな値とすれば良い。この場合、調整部２２０の増幅量が最も大きく、次いで調整部２２１の増幅量が大きく、調整部２２２の増幅量が最も小さい。以下の実施形態においては説明を容易にするために調整部２２としてアッテネータを用いる例を挙げて説明する。また調整量は減衰量であるものとして説明する。【００４１】
減衰量は、調整部２２２が最も大きく、次いで調整部２２１の減衰量が大きく、調整部２２０の減衰量が最も小さい。生成部２５は除去信号を、調整部２２０へ出力する。調整部２２０は除去信号の振幅を減衰する。調整部２２０は減衰後の除去信号を加算部２３０へ出力する。加算部２３０はアンテナ３０が取得した受信信号及びノイズ信号に位相遅延後の除去信号を加算する。これにより、アンテナ３０におけるノイズが除去される。調整部２２１はＬＳＩ４に対し、アンテナ３０よりも遠隔にあるアンテナ３１のノイズを除去すべく、生成部２５から出力された除去信号の振幅をさらに減衰する。調整部２２１は減衰後の除去信号を加算部２３１へ出力する。加算部２３１はアンテナ３１が取得した受信信号及びノイズ信号に、減衰後の除去信号を加算する。加算によりノイズ信号が除去された受信信号が加算部２３１から通信モジュール１６１へ出力される。【００４２】
同様に、アンテナ３１よりも遠隔にあるアンテナ３２のノイズを除去すべく、調整部２２２は生成部２５から出力された除去信号の振幅をさらに減衰する。調整部２２２は振幅調整後の除去信号を加算部２３２へ出力する。加算部２３２はアンテナ３２が取得した受信信号及びノイズ信号に、さらに振幅が減衰された除去信号を加算する。加算によりノイズ信号が除去された受信信号が加算部２３２から通信モジュール１６１へ出力される。これにより、アンテナ３の配置位置に応じた振幅を持つ除去信号が生成され、各アンテナ３にてノイズが除去される。【００４３】
本実施の形態５は以上の如きであり、その他は実施の形態１乃至４と同様であるので、対応する部分には同一の参照番号を付してその詳細な説明を省略する。【００４４】
実施の形態６
実施の形態６は複数の全てのアンテナ３と生成部２５との間に遅延部２１及び調整部２２を設ける形態に関する。図７は通信部１６を含むハードウェアを示すブロック図である。実施の形態３に対し、遅延部２１０及び調整部２２０が生成部２５とアンテナ３０の加算部２３０との間に設けられている。なお遅延量及び減衰量は実施の形態４及び５で述べたとおりである。生成部２５は除去信号を、遅延部２１０へ出力する。遅延部２１０は除去信号の位相を遅延する。遅延部２１０は遅延後の除去信号を調整部２２０へ出力する。調整部２２０は遅延後の除去信号を減衰する。【００４５】
調整部２２０は遅延及び減衰後の除去信号を加算部２３０へ出力する。加算部２３０はアンテナ３０が取得した受信信号及びノイズ信号に位相が遅延され、振幅が減衰された除去信号を加算する。これにより、アンテナ３０におけるノイズが除去される。遅延部２１１及び調整部２２１はＬＳＩ４に対し、アンテナ３０よりも遠隔にあるアンテナ３１のノイズを除去すべく、生成部２５から出力された除去信号の位相をさらに遅延し、また振幅をさらに減衰する。遅延部２１１は遅延後の除去信号を調整部２２１へ出力する。調整部２２１は入力された除去信号の振幅を減衰し、減衰後の除去信号を加算部２３１へ出力する。加算部２３１はアンテナ３１が取得した受信信号及びノイズ信号に除去信号を加算する。加算によりノイズ信号が除去された受信信号が加算部２３１から通信モジュール１６１へ出力される。【００４６】
同様に、アンテナ３１よりも遠隔にあるアンテナ３２のノイズを除去すべく、遅延部２１２は生成部２５から出力された除去信号の位相をさらに遅延し、調整部２２２は除去信号の振幅をさらに減衰する。遅延部２１２は位相遅延後の除去信号を調整部２２２へ出力する。調整部２２２は除去信号の振幅を減衰する。減衰後の除去信号は加算部２３２へ出力される。加算部２３２はアンテナ３２が取得した受信信号及びノイズ信号に除去信号を加算する。加算によりノイズ信号が除去された受信信号が加算部２３２から通信モジュール１６１へ出力される。これにより、アンテナ３の配置位置に応じた位相及び振幅を持つ除去信号が生成され、各アンテナ３にてノイズが除去される。【００４７】
なお、本実施の形態においては３つのアンテナ３に対し３つの遅延部２１及び調整部２２を設け、一つの生成部２５から出力される除去信号の遅延及び減衰等を行う例を示したがこれに限るものではない。複数のアンテナ３の数と同一の数、または当該数よりも一つ少ない数の遅延部２１または調整部２２を設け、一つの生成部２５から出力される除去信号の遅延または減衰等を行っても良い。例えば、２つのアンテナ３の数と同数の２組の遅延部２１及び調整部２２を設け、一つの生成部２５から出力される除去信号の遅延及び減衰等を行う。その他２つのアンテナ３の数よりも一少ない数である１組の遅延部２１及び調整部２２を設け、一つの生成部２５から出力される除去信号の遅延及び減衰等を行っても良い。【００４８】
本実施の形態６は以上の如きであり、その他は実施の形態１乃至５と同様であるので、対応する部分には同一の参照番号を付してその詳細な説明を省略する。【００４９】
実施の形態７
実施の形態７は遅延量を変更する形態に関する。図８は携帯電話機１の外観を示す模式的斜視図である。携帯電話機１は入力部１３、マイク１８及びスピーカ１９等を有する矩形状の第１筐体１１１、並びに、表示部１４等を有する矩形状の第２筐体１１０を含む。第１筐体１１１及び第２筐体１１０の長辺一側の中央部には第２筐体１１０を回動及び傾斜させるための回動傾斜機構１１６が設けられている。【００５０】
第１筐体１１１の長辺一側略中央部には穴１１３が形成されている。穴１１３から軸１１２が回動可能に突設されている。軸１１２の先端は第２筐体１１０の略中央部に設けられる筒部１１４の側壁に連結している。第２筐体１１０の長辺一側略中央部には、軸１１２の先端に向かう凸状の開口１１５が形成されている。筒部１１４は第２筐体１１０の長手方向と同方向を長手方向とする筒形状をなす。第２筐体１１０には開口１１５により相互に対向する２つの軸（図示せず）が突設される。これら２つの軸（図示せず）が筒部１１４の両端に挿入される。【００５１】
回動傾斜機構１１６により、第２筐体１１０は軸１１２を中心に回動する。また第２筐体１１０は筒部１１４の長手方向の軸（図示せず）を中心に第１筐体１１１に対して傾斜する。なお、本実施の形態における回動傾斜機構１１６は一例であり、これに限るものではない。図９は携帯電話機１の折りたたみ状態を示す模式的斜視図である。図９の例は、図８の状態において第２筐体１１０を１８０度回転させ、第１筐体１１１に向けて傾斜させたものである。【００５２】
図８及び図９において点線で示す如く、第１筐体１１１にはＬＳＩ４及びアンテナ３０が設けられ、第２筐体１１０にはアンテナ３１及びアンテナ３２が設けられている。第１筐体１１１の短辺一側にはマイク１８が設けられており、ＬＳＩ４は第１筐体１１１の短辺一側でありかつ長辺他側の隅に設けられている。アンテナ３０は第１筐体１１１の短辺一側でありかつ長辺一側の隅に設けられている。アンテナ３１は第２筐体１１０の短辺一側でありかつ長辺他側の隅に設けられ、アンテナ３２は第２筐体１１０の短辺他側でありかつ長辺他側の隅に設けられている。【００５３】
図８に示すように第２筐体１１０が第１筐体１１１に対して開いた状態である場合、ノイズ源であるＬＳＩ４と最も距離が近いのはアンテナ３０であり、次いでアンテナ３１、最も距離が遠いのがアンテナ３２であることが理解できる。図９に示す如く表示部１４が露出するように第２筐体１１０を折りたたんだ場合、ノイズ源であるＬＳＩ４と最も距離が近いのはアンテナ３２であり、次いでアンテナ３１、最も距離が遠いのがアンテナ３０であることが理解できる。以下では図８の状態を開状態といい、図９の状態を閉状態という。【００５４】
図１０は通信部１６を含むハードウェアを示すブロック図である。実施の形態４に対し、センサ２７及び変更部２８が設けられている。センサ２７は携帯電話機１の形状の変化を検出するものである。センサ２７は携帯電話機１の形状の変化を検出した場合検出信号を出力する。センサ２７は例えば磁気センサである。第１筐体１１１に設けられたセンサ２７は第２筐体１１０に設けられた磁石の移動に伴う磁界の変化を検出する。センサ２７は磁界の変化に応じて形状の変化を検出する。【００５５】
本実施の形態においては説明を容易にするために閉状態にある場合に、第２筐体１１０に設けられた磁石が第１筐体１１１に設けられたセンサ２７に最も近接する例を挙げて説明する。センサ２７は閾値を超える磁気を検出した場合に、閉状態であることを示すロー信号を出力する。それ以外の場合、センサ２７は開状態であることを示すハイ信号を出力する。なお、センサ２７は複数設けても良い。【００５６】
また、センサ２７の例は一例であり、他のセンサ２７を用いても良いことはもちろんである。例えば、第１筐体１１１に凸部、第２筐体１１０に凹部を設け、凹部への凸部の進退を検出するスイッチをセンサ２７としても良い。その他、軸１１２及び筒部１１４内部に設けられる角度センサを用いても良い。さらに携帯電話機１の形状の変化は本実施の形態に示すものに限らない。例えば短辺側を中心に折りたたむ携帯電話機１の形状の変化を検出しても良い。また第１筐体１１１上に積層された第２筐体１１０が、第１筐体１１１上をスライドする携帯電話機１であっても良い。この場合、センサ２７は形状の変化に伴うスライド量を検出する。このように、携帯電話機１の形状の変化に伴い、複数のアンテナ３とノイズ源であるＬＳＩ４との位置関係が変更するものであれば、携帯電話機１の形態はいかなるものであっても良い。さらに、携帯電話機１の形状の変化を多段階にて検出するものであればいかなるセンサ２７であっても良い。【００５７】
センサ２７は検出信号であるハイ信号またはロー信号を変更部２８へ出力する。変更部２８はハイ信号またはロー信号を受け付けた場合、信号の種類に応じて遅延部２１の遅延量を変更する。遅延部２１０は例えば複数の遅延量の異なるディレイラインが設けられており、変更部２８の指示により一のディレイラインが選択される。その他、遅延部２１０は多段階に遅延量の選択が可能な可変ディレイラインであっても良い。変更部２８の制御により、遅延量が選択される。本実施の形態においては遅延部２１０の例として可変ディレイラインを用いた例を説明する。【００５８】
また説明を容易にするために遅延量を２段階にて変更する例を挙げて説明するが、３段階以上に遅延量を変更させても良い。マイクロコンピュータ等である変更部２８は変更テーブル２８１に遅延量の制御に関する情報を記憶している。図１１は変更テーブル２８１のレコードレイアウトを示す説明図である。変更テーブル２８１は検出信号フィールド及び遅延量フィールド等を含む。検出信号フィールドには、ハイ信号及びロー信号が記憶されている。遅延量フィールドにはアンテナ３０、３１、３２毎にハイ信号またはロー信号に対応づけて遅延量が記憶されている。【００５９】
図１１の遅延量の単位はｎｓである。なお、遅延量の数値はあくまで一例でありこれに限るものではない。遅延量は、ハイ信号のレコードで示す如く、ＬＳＩ４とアンテナ３との距離が大きくなるにつれ、大きくなる値を記憶している。一方、閉状態によりロー信号がセンサ２７から出力された場合、ＬＳＩ４に対しては、アンテナ３２が最も近接し、次いでアンテナ３１が近接する。アンテナ３０は開状態とは逆に最も距離が大きくなる。そのため、遅延量はアンテナ３０が最も大きく、次いでアンテナ３１が大きく、アンテナ３２は遅延量が最も小さい。【００６０】
変更部２８はセンサ２７から出力される検出信号及び変更テーブル２８１を参照し、遅延部２１０、２１１、２１２の遅延量を変更する。開状態の場合、センサ２７はハイ信号を出力する。この場合、実施の形態４で述べたノイズ除去処理が行われる。一方、閉状態の場合、センサ２７はロー信号を変更部２８へ出力する。変更部２８は遅延量を変更テーブル２８１から読み出し、変更後の遅延量を遅延部２１０、２１１、２１２へ出力する。【００６１】
遅延部２１０は最も大きな遅延量により生成部２５から出力される除去信号を遅延し、遅延後の除去信号を加算部２３０へ出力する。遅延部２１１は遅延部２１０よりも小さな遅延量により生成部２５から出力される除去信号を遅延し、遅延後の除去信号を加算部２３１へ出力する。遅延部２１２は除去信号を遅延することなく生成部２５から出力された除去信号を加算部２３２へ出力する。これにより、形状の変化に応じて最適なノイズ除去処理を実現することが可能となる。【００６２】
本実施の形態７は以上の如きであり、その他は実施の形態１乃至６と同様であるので、対応する部分には同一の参照番号を付してその詳細な説明を省略する。【００６３】
実施の形態８
実施の形態８は形状の変化に応じて減衰量を変更する形態に関する。図１２は通信部１６を含むハードウェアを示すブロック図である。実施の形態４に対し、補助変更部２９、補助変更テーブル２９１及びセンサ２７が設けられている。補助変更部２９はセンサ２７から出力されるハイ信号またはロー信号、並びに、補助変更テーブル２９１を参照し、調整部２２における振幅の減衰量を変更する。【００６４】
図１３は補助変更テーブル２９１のレコードレイアウトを示す説明図である。補助変更テーブル２９１は検出信号フィールド及び減衰量フィールド等を含む。検出信号フィールドには、ハイ信号及びロー信号が記憶されている。減衰量フィールドにはアンテナ３０、３１、３２毎にハイ信号またはロー信号に対応づけて減衰量が記憶されている。【００６５】
図１３の減衰量の単位はｄＢ（デシベル）である。なお、減衰量の数値はあくまで一例でありこれに限るものではない。減衰量は、ハイ信号のレコードで示す如く、ＬＳＩ４とアンテナ３との距離が大きくなるにつれ、大きくなる値を記憶している。一方、閉状態によりロー信号がセンサ２７から出力された場合、ＬＳＩ４に対しては、アンテナ３２が最も近接し、次いでアンテナ３１が近接する。アンテナ３０は開状態とは逆に最も距離が大きくなる。そのため、減衰量はアンテナ３０が最も大きく、次いでアンテナ３１が大きく、アンテナ３２は最も減衰量が小さい。【００６６】
補助変更部２９はセンサ２７から出力される検出信号及び補助変更テーブル２９１を参照し、減衰部２２０、２２１、２２２の減衰量を変更する。開状態の場合、センサ２７はハイ信号を出力する。この場合、実施の形態５で述べたノイズ除去処理が行われる。一方、閉状態の場合、センサ２７はロー信号を補助変更部２９へ出力する。補助変更部２９は減衰量を補助変更テーブル２９１から読み出し、変更後の減衰量を調整部２２０、２２１、２２２へ出力する。【００６７】
調整部２２０は最も大きな減衰量により生成部２５から出力される除去信号を減衰し、減衰後の除去信号を加算部２３０へ出力する。調整部２２１は調整部２２０よりも小さな減衰量により生成部２５から出力される除去信号を減衰し、減衰後の除去信号を加算部２３１へ出力する。調整部２２２は除去信号を減衰することなく生成部２５から出力された除去信号を加算部２３２へ出力する。これにより、形状の変化に応じて最適なノイズ除去処理を実現することが可能となる。【００６８】
本実施の形態８は以上の如きであり、その他は実施の形態１乃至７と同様であるので、対応する部分には同一の参照番号を付してその詳細な説明を省略する。【００６９】
実施の形態９
実施の形態９は形状が変化した場合に遅延量及び減衰量を変更する形態に関する。図１４は通信部１６を含むハードウェアを示すブロック図である。実施の形態６に加え変更部２８、変更テーブル２８１、補助変更部２９、補助変更テーブル２９１及びセンサ２７が設けられている。なお、変更部２８及び補助変更部２９、並びに、変更テーブル２８１及び補助変更テーブル２９１を一体化しても良い。実施の形態７で述べた如く変更部２８はセンサ２７の検出信号に応じて、変更テーブル２８１を参照し、遅延量を変更する。また実施の形態８で述べた如く、補助変更部２９はセンサ２７の検出信号に応じて、補助変更テーブル２９１を参照し、減衰量を変更する。なお、本実施の形態においては説明を容易にするために、変更部２８と補助変更部２９とを分けて記載したがこれに限るものではない。変更テーブル２８１と補助変更テーブル２９１とを一体化し、補助変更部２９を変更部２８に組み込んで一体化しても良い。【００７０】
図１５は変更処理の手順を示すフローチャートである。変更部２８及び補助変更部２９はセンサ２７から出力されるロー信号を受け付けたか否かを判断する（ステップＳ１５１）。変更部２８及び補助変更部２９はロー信号を受け付けたと判断した場合（ステップＳ１５１でＹＥＳ）、変更部２８は変更テーブル２８１からロー信号に対応する各アンテナ３の遅延量を読み出す（ステップＳ１５２）。変更部２８は読み出した遅延量を各アンテナ３に対応する遅延部２１へ出力する（ステップＳ１５３）。【００７１】
補助変更部２９はロー信号に対応する各アンテナ３に対する減衰量を読み出す（ステップＳ１５４）。補助変更部２９は読み出した減衰量を各アンテナ３に対応する調整部２２へ出力する（ステップＳ１５５）。ステップＳ１５１において、変更部２８及び補助変更部２９はロー信号を受け付けていないと判断した場合（ステップＳ１５１でＮＯ）、ハイ信号であると判断し、ステップＳ１５６へ移行する。変更部２８は変更テーブル２８１からハイ信号に対応する各アンテナ３の遅延量を読み出す（ステップＳ１５６）。変更部２８は読み出した遅延量を各アンテナ３に対応する遅延部２１へ出力する（ステップＳ１５７）。【００７２】
補助変更部２９はハイ信号に対応する各アンテナ３に対する減衰量を読み出す（ステップＳ１５８）。補助変更部２９は読み出した減衰量を各アンテナ３に対応する調整部２２へ出力する（ステップＳ１５９）。これにより、携帯電話機１の形状の変化に応じて柔軟に、各アンテナ３に対する除去信号の位相及び振幅を調整することができる。【００７３】
本実施の形態９は以上の如きであり、その他は実施の形態１乃至８と同様であるので、対応する部分には同一の参照番号を付してその詳細な説明を省略する。【００７４】
実施の形態１０
実施の形態１０は変更部２８及び補助変更部２９としてスイッチを用いる形態に関する。図１６は通信部１６を示す主要回路図である。生成部２５と加算部２３０との間にはスイッチＳ１（以下、場合によりＳという）、ラインＬＡ、遅延部２１０、調整部２２０及びスイッチＳ４が設けられている。スイッチＳ１及びスイッチＳ４はＨ側及びＬ側へ切り替えることができる。以下では、遅延部２１をディレイライン２１と、調整部２２をアッテネータ２２と読み替えて説明する。変更部２８はスイッチＳのＨ側またはＬ側の切り替えを行う。スイッチＳ１及びスイッチＳ４が共にＨ側の場合、ディレイライン２１０及びアッテネータ２２０を経ることなく、生成部２５から出力された除去信号がラインＬＡを通じて加算部２３０へ出力される。なお、説明を容易にするためにＬＳＩ４及び位相振幅制御部２４等の記載は適宜省略している。【００７５】
スイッチＳ１及びスイッチＳ４が共にＬ側の場合、除去信号は例えばラインＬＡに対して151mm長いディレイライン２１０及びアッテネータ２２０を経て加算部２３０へ出力される。アッテネータ２２０は生成部２５と加算部２３０とを直列に結ぶ抵抗Ｒ１、抵抗Ｒ１の両端子側にて並列に接続される抵抗Ｒ２及びＲ３、並びに、抵抗Ｒ２及び抵抗Ｒ３の一端に接続される仮想グラウンドＧ１を含む。なお、抵抗Ｒ１は抵抗値８５９Ω、抵抗Ｒ２及びＲ３は抵抗値２５２Ωとすればよい。その他アンテナ３の受信周波数は８８２ＭＨｚとしている。なお、本実施の形態で述べる数値は一例でありこれに限るものではない。【００７６】
生成部２５と加算部２３１との間にはスイッチＳ２、ディレイライン２１１Ｈ、２１１Ｌ、アッテネータ２２１Ｈ、２２１Ｌ、及び、スイッチＳ５が設けられている。スイッチＳ２及びスイッチＳ５はＨ側及びＬ側へ切り替えることができる。スイッチＳ２及びスイッチＳ５が共にＨ側の場合、ラインＬＡよりも34mm長いディレイライン２１１Ｈ及びアッテネータ２２１Ｈにより除去信号の位相が遅延され、振幅は減衰される。遅延及び減衰後の除去信号は加算部２３１へ出力される。なお、アッテネータ２２１Ｈはアッテネータ２２０と同じく、抵抗Ｒ４乃至Ｒ６並びに仮想グラウンドＧ２を含む。抵抗Ｒ４は抵抗値６１Ω、抵抗Ｒ５及び抵抗Ｒ６は抵抗値１．３ｋΩである。【００７７】
スイッチＳ１及びスイッチＳ４が共にＬ側の場合、除去信号は後述するラインＬＢよりも112mm長いディレイライン２１１Ｌ及びアッテネータ２２１Ｌを経て加算部２３１へ出力される。アッテネータ２２１はアッテネータ２２０と同じく、抵抗Ｒ７、Ｒ８及びＲ９、並びに仮想グラウンドＧ３を含む。抵抗Ｒ７は抵抗値６６１Ω、抵抗Ｒ８及び抵抗Ｒ９は抵抗値２６９Ωである。生成部２５と加算部２３２との間にはスイッチＳ３、ディレイライン２１２、アッテネータ２２２、ラインＬＢ及び、スイッチＳ６が設けられている。スイッチＳ３及びスイッチＳ６はＨ側及びＬ側へ切り替えることができる。【００７８】
スイッチＳ３及びスイッチＳ６が共にＨ側の場合、ラインＬＡよりも88mm長いディレイライン２１２及びアッテネータ２２２により除去信号の位相が遅延され、振幅は減衰される。遅延及び減衰後の除去信号は加算部２３２へ出力される。アッテネータ２２２はアッテネータ２２０と同じく、抵抗Ｒ１０乃至Ｒ１２並びに仮想グラウンドＧ４を含む。抵抗Ｒ１０は抵抗値１３５Ω、抵抗Ｒ１１及び抵抗Ｒ１２は抵抗値６５２Ωである。スイッチＳ１及びスイッチＳ４が共にＬ側の場合、除去信号はディレイライン２１２及びアッテネータ２２２を経ることなく、ラインＬＢを経て直接加算部２３２へ出力される。【００７９】
変更部２８はセンサ２７から出力されるハイ信号またはロー信号、及び、変更テーブル２８１に基づき、スイッチＳ１乃至Ｓ６を制御する。図１７は変更テーブル２８１のレコードレイアウトを示す説明図である。変更テーブル２８１は検出信号フィールド及びスイッチフィールド等を含む。なお、図１７では説明のため、各アンテナ３０、３１、３２に対する遅延量（単位はns）及び減衰量(単位はdB)を記載した。検出信号フィールドにはハイ、及び、ローが記憶されている。スイッチフィールドには検出信号の種類に応じてスイッチＳを切り替える側が記憶されている。例えば図８に示す開状態ではハイ信号がセンサ２７から出力され、スイッチＳはＨ側へ切り替わる。【００８０】
この場合、図１６に示す如く、スイッチＳ１とスイッチＳ４との間は除去信号が遅延及び減衰されることなくラインＬＡを経て加算部２３０へ出力される。また、スイッチＳ２とスイッチＳ５との間は、除去信号がディレイライン２１１Ｈにより遅延され、アッテネータ２２１Ｈにより減衰された上で加算部２３１へ出力される。図１７に示す如くこの場合の遅延量は0.2ns、減衰量は2.6dBである。スイッチＳ３とスイッチＳ６との間は、除去信号がディレイライン２１２により遅延され、アッテネータ２２２により減衰された上で加算部２３２へ出力される。図１７に示す如くこの場合の遅延量は0.6ns、減衰量は5.5dBである。【００８１】
一方、図９に示す閉状態ではセンサ２７からロー信号が出力され、スイッチＳはＬ側へ切り替わる。図１８は閉状態における通信部１６を示す主要回路図である。この場合、図１８に示す如く、スイッチＳ１とスイッチＳ４との間は、除去信号がディレイライン２１０により遅延され、アッテネータ２２０により減衰された上で加算部２３０へ出力される。図１７に示す如くこの場合の遅延量は1.0ns、減衰量は18.8dBである。また、スイッチＳ２とスイッチＳ５との間は、除去信号がディレイライン２１１Ｌにより遅延され、アッテネータ２２１Ｌにより減衰された上で加算部２３１へ出力される。図１７に示す如くこの場合の遅延量は0.8ns、減衰量は16.6dBである。スイッチＳ３とスイッチＳ６との間は除去信号が遅延及び減衰されることなくラインＬＢを経て加算部２３２へ出力される。【００８２】
図１９は実装例を示す模式的斜視図である。通信部１６は積層された基板Ｂ１乃至Ｂ４の内、最上層である基板Ｂ１及びＢ２に設けられている。基板Ｂ１上には生成部２５、通信モジュール１６１、アンテナ３０乃至３２、スイッチＳ１乃至Ｓ６、並びに、アッテネータ２２０、２２１Ｌ、２２１Ｈ、２２２が形成されている。ディレイライン２１０、２１１Ｈ、２１１Ｌ、２１２の一端は基板Ｂ１のスイッチＳ１乃至Ｓ３から、基板Ｂ１に対し異なる層である基板Ｂ２へ引き出される。【００８３】
本例では一段下の基板Ｂ２に示す例を挙げるが、他の層または上側の基板（図示せず）へ引き出しても良い。基板Ｂ２上では遅延量に応じて図１９の如く回路パターンが形成される。ディレイライン２１０、２１１Ｈ、２１１Ｌ、２１２の他端は基板Ｂ２から、基板Ｂ１へ再度引き出され、アッテネータ２２０、２２１Ｈ、２２１Ｌ、２２２へ接続される。これにより、簡易な回路構成で複数のアンテナ３の位置に応じたノイズ除去、ひいては携帯電話機１の形状が変更した場合でも適切にノイズ除去が実現できる。【００８４】
本実施の形態１０は以上の如きであり、その他は実施の形態１乃至９と同様であるので、対応する部分には同一の参照番号を付してその詳細な説明を省略する。【００８５】
実施の形態１１
実施の形態１１は他の回路に係る形態に関する。図２０は通信部１６を示す主要回路図である。生成部２５と加算部２３０との間にはスイッチＳ１、Ｓ２、Ｓ７、ラインＬＡ、遅延部２１０、調整部２２０、抵抗Ｒ１３及び仮想グラウンドＧ５等が設けられている。ディレイライン２１の遅延量に係る長さ、並びに、アッテネータ２２の抵抗Ｒ１乃至Ｒ１２の抵抗値は実施の形態１０で述べたものと同様であるため詳細な説明を省略する。【００８６】
センサ２７に接続される変更部２８はセンサ２７から出力されるハイ信号またはロー信号、並びに、変更テーブル２８１を参照し、スイッチＳ１乃至Ｓ９を制御する。なお、変更テーブル２８１の記憶内容は実施の形態１０で述べたものと同様である。その他、アンテナ３及び通信モジュール１６１等の記載は適宜省略している。ラインＬＡに対し加算部２３０側にて接続されるスイッチＳ１はＨ側がスイッチＳ７のＨ側に接続されている。またスイッチＳ１のＬ側は抵抗Ｒ１３を介して仮想グラウンドＧ５に接続されている。なお、抵抗Ｒ１３は抵抗値５０Ωとすればよい。【００８７】
アッテネータ２２０の抵抗Ｒ１及びＲ３に接続されるスイッチＳ２はＨ側が抵抗Ｒ１３に接続されている。スイッチＳ２のＬ側はスイッチＳ７のＬ側に接続されている。スイッチＳ７は一端が加算部２３０に接続されている。アッテネータ２２１Ｈの抵抗Ｒ４及び抵抗Ｒ６に接続されるスイッチＳ３はＨ側がスイッチＳ８のＨ側に接続されている。またスイッチＳ３のＬ側は抵抗Ｒ１４を介して仮想グラウンドＧ６に接続されている。なお、抵抗Ｒ１４は抵抗値５０Ωとすればよい。【００８８】
アッテネータ２２０の抵抗Ｒ７及びＲ９に接続されるスイッチＳ４はＨ側が抵抗Ｒ１４に接続されている。スイッチＳ４のＬ側はスイッチＳ８のＬ側に接続されている。スイッチＳ８は一端が加算部２３１に接続されている。アッテネータ２２２の抵抗Ｒ１０及び抵抗Ｒ１２に接続されるスイッチＳ５はＨ側がスイッチＳ９のＨ側に接続されている。またスイッチＳ５のＬ側は抵抗Ｒ１５を介して仮想グラウンドＧ７に接続されている。なお、抵抗Ｒ１５は抵抗値５０Ωとすればよい。【００８９】
ラインＬＢに対し加算部２３２側にて接続されるスイッチＳ６はＨ側が抵抗Ｒ１５に接続されている。スイッチＳ６のＬ側はスイッチＳ９のＬ側に接続されている。スイッチＳ９は一端が加算部２３２に接続されている。センサ２７からハイ信号が出力された場合、変更部２８は変更テーブル２８１からＨを読み出し、スイッチＳ１乃至Ｓ９を全てＨへ切り替える。この場合、生成部２５から出力された除去信号はラインＬＡを経て、遅延処理及び減衰処理を経ることなく、スイッチＳ１及びスイッチＳ７を経由して直接加算部２３０へ出力される。【００９０】
また除去信号はディレイライン２１１Ｈによる遅延処理及びアッテネータ２２１Ｈによる減衰処理を経て、スイッチＳ３及びスイッチＳ８を経由して加算部２３１へ出力される。さらに、除去信号はディレイライン２１２による遅延処理及びアッテネータ２２２による減衰処理を経て、スイッチＳ５及びスイッチＳ９を経由して加算部２３２へ出力される。なお、スイッチＳ２、Ｓ４及びＳ６を経由する除去信号は仮想グラウンドＧ５乃至Ｇ７へ向かう。一方、センサ２７からロー信号が出力された場合、変更部２８は変更テーブル２８１からＬを読み出し、スイッチＳ１乃至Ｓ９を全てＬへ切り替える。【００９１】
図２１は切り替え後の通信部１６を示す主要回路図である。生成部２５から出力された除去信号は、ディレイライン２１０による遅延処理及びアッテネータ２２０による減衰処理を経て、スイッチＳ２及びスイッチＳ７を経由して加算部２３０へ出力される。【００９２】
また除去信号はディレイライン２１１Ｌによる遅延処理及びアッテネータ２２１Ｌによる減衰処理を経て、スイッチＳ４及びスイッチＳ８を経由して加算部２３１へ出力される。さらに、除去信号は、ラインＬＢを経て、遅延処理及び減衰処理を経ることなく、スイッチＳ６及びスイッチＳ９を経由して直接加算部２３２へ出力される。スイッチＳ１、Ｓ３及びＳ５を経由する除去信号は仮想グラウンドＧ５乃至Ｇ７へ向かう。【００９３】
図２２は実装例を示す模式的斜視図である。通信部１６は積層された基板Ｂ１乃至Ｂ４の内、最上層である基板Ｂ１及びＢ２に設けられている。基板Ｂ１上には生成部２５、通信モジュール１６１、アンテナ３０乃至３２、スイッチＳ１乃至Ｓ９、並びに、アッテネータ２２０、２２１Ｈ、２２１Ｌ、２２２が形成されている。ディレイライン２１０、２１１Ｈ、２１１Ｌ、２１２の一端は基板Ｂ１の生成部２５から、基板Ｂ１に対し異なる層である基板Ｂ２へ引き出される。【００９４】
本例では一段下の基板Ｂ２に示す例を挙げるが、他の層または上側の基板（図示せず）へ引き出しても良い。基板Ｂ２上では遅延量に応じて図２２の如く回路パターンが形成される。ディレイライン２１０、２１１Ｈ、２１１Ｌ、２１２の他端は基板Ｂ２から、基板Ｂ１へ再度引き出され、アッテネータ２２０、２２１Ｈ、２２１Ｌ、２２２へ接続される。以上のとおりスイッチＳを一方に集約し、またディレイライン２１を生成部２５またはアンテナ３が形成された基板Ｂ１とは異なる基板Ｂ２に形成したので、装置の小型化を図ることが可能となる。【００９５】
本実施の形態１１は以上の如きであり、その他は実施の形態１乃至１０と同様であるので、対応する部分には同一の参照番号を付してその詳細な説明を省略する。
【図１】
2010150398.tif 000003
【図２】
2010150398.tif 000004
【図３】
2010150398.tif 000005
【図４】
2010150398.tif 000006
【図５】
2010150398.tif 000007
【図６】
2010150398.tif 000008
【図７】
2010150398.tif 000009
【図８】
2010150398.tif 000010
【図９】
2010150398.tif 000011
【図１０】
2010150398.tif 000012
【図１１】
2010150398.tif 000013
【図１２】
2010150398.tif 000014
【図１３】
2010150398.tif 000015
【図１４】
2010150398.tif 000016
【図１５】
2010150398.tif 000017
【図１６】
2010150398.tif 000018
【図１７】
2010150398.tif 000019
【図１８】
2010150398.tif 000020
【図１９】
2010150398.tif 000021
【図２０】
2010150398.tif 000022
【図２１】
2010150398.tif 000023
【図２２】
2010150398.tif 000024
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号を遅延させる遅延部と
前記複数のアンテナとノイズ源との位置関係の変更を検出するセンサから出力される検出信号を受け付けた場合に、前記複数のアンテナと前記生成部との間に設けられた複数ん遅延部の遅延量を変更する変更部と
を備えるノイズキャンセラ。
【請求項２】
遅延量を異にする複数の遅延部を設けてあり、ノイズ源とアンテナとの距離が大きくなるにつれ、遅延量が大きい請求項１に記載のノイズキャンセラ。
【請求項３】
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号の振幅を調整する調整部と、
前記複数のアンテナとノイズ源との位置関係の変更を検出するセンサから出力される検出信号を受け付けた場合に、前記複数のアンテナと前記生成部との間に設けられた複数の調整部の調整量を変更する補助変更部と
を備えるノイズキャンセラ。
【請求項４】
複数のアンテナを有する情報処理装置であって、
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号を遅延させる遅延部と、
当該情報処理装置の形状の変更を検出するセンサから出力される検出信号を受け付けた場合に、前記複数のアンテナと前記生成部との間に設けられた複数の遅延部の遅延量を変更する変更部と
を備える情報処理装置。
【請求項５】
複数のアンテナを有する情報処理装置であって、
複数のアンテナにて受信する受信信号に対して、ノイズを除去するための除去信号を生成する生成部と、
前記複数のアンテナと前記生成部との間、または、前記複数のアンテナの内一のアンテナを除く他のアンテナと前記生成部との間に設けられ、前記生成部にて生成された除去信号の振幅を調整する調整部と、
当該情報処理装置の形状の変更を検出するセンサから出力される検出信号を受け付けた場合に、前記複数のアンテナと前記生成部との間に設けられた複数の遅延部の遅延量を変更する補助変更部と
を備える情報処理装置。
【国際調査報告】
2010150398.tif 000025
2010150398.tif 000026